(57)【特許請求の範囲】
【請求項１】
遊技盤面に取着され遊技球が入賞する球入口が開設された取付基板と、前記球入口を囲うようにして前記取付基板の後側に取着されるケース体と、前記ケース体の前側に配置されると共に電動アクチュエータにより下辺部を支点として前後方向へ起倒自在に回動し前記球入口を開閉する開閉扉と、を備え、前記開閉扉の下辺部両端から該下辺部に沿って回動軸が突設され、前記ケース体の前側には前記回動軸が挿通される軸受部が設けられた遊技機の入賞装置であって、
前記回動軸に周面の一部を軸方向に沿って平面状に切断したＤカット面を形成し、前記各軸受部に該軸受部の中心軸に対し直交する方向から添わせるようにかつ前記Ｄカット面を挿入方向とほぼ平行となるようにして前記回動軸の挿入が許容される差込口を開設し、
前記開閉扉が起立し前記球入口を塞いだ位置から前側へ傾倒して該球入口を開放した位置までの回動範囲内では、前記軸受部に挿通された前記回動軸が前記差込口から不要に抜け出ることのないように前記差込口に対するＤカット面の向きが設定されていることを特徴とする遊技機の入賞装置。
【発明の詳細な説明】
【技術分野】
【０００１】
本発明は、遊技機の遊技盤面に装着され、開閉扉が前後方向へ起倒自在に回動して球入口を開閉するようにした遊技機の入賞装置に関するものである。
【背景技術】
【０００２】
従来、この種遊技機の入賞装置として、例えば特許文献１に示されるものがある。この入賞装置は、遊技盤面に取着される取付基板に遊技球が入賞する球入口が開設され、該球入口を囲うようにして取付基板の後側にケース体が固着されている。該ケース体の前面は開口されており、その前面に前記球入口に対応位置して該球入口を開閉する開閉扉が配置されている。更に詳しく説明すると、開閉扉の下辺部両端から該下辺部に沿って回動軸が突設されている。また、ケース体の前面両側に軸支板がねじによって取り付けられ、各軸支板に前記回動軸が中心軸方向から挿通される軸孔が設けられている。そこで、ケース本体の前面に開閉扉を取り付けるには、開閉扉の下辺部両端の各回動軸を各軸孔にその中心軸方向から挿通した後に、両軸支板をケース体の前面両側にねじ止めしている。そこで、開閉扉は別途設けられた電動アクチュエータにより下辺部を支点として前後方向へ起倒自在に回動し、前側へ回動して球入口が開いたとき、該球入口へ遊技球が入賞し得るようになっている。
【先行技術文献】
【特許文献】
【０００３】
【特許文献１】特開２０００−２７９５８５号公報（第３頁段落００１０、図３）
【発明の概要】
【発明が解決しようとする課題】
【０００４】
前記特許文献１に示される遊技機の入賞装置にあっては、ケース体の前面に開閉扉を取り付けるに、あらかじめ軸孔を設けた一組の軸支板を用意し、これら軸孔に開閉扉の回動軸をその中心軸方向から挿通した後に、両軸支板をケース体の前面にねじ止めして開閉扉を取り付けるようにしている。このように一組の軸支板を別途用意し、これら軸支板をケース体の前面にねじ止めしなければならないので、面倒な作業が必要となり組立における作業性が悪いばかりか、部品点数も増え製作コストも高くなるという改良すべき点が有った。
【０００５】
このように、ケース体の前面にねじ止めして取着される軸支板を必要とするのは、開閉扉の下辺部両端から回動軸が外側へ突出され、しかも、この回動軸を軸孔に該軸孔の中心軸方向から挿通する構成となっており、回動軸の軸受けに相当する軸支板を先にケース体に固定してしまうと、両軸孔に開閉扉の両回動軸を挿通することが寸法的にできなくなるからである。
【０００６】
そこで、本発明は上記課題に鑑みてなされたもので、ケース体の前側に設けられた軸受部に直接回動軸を挿通でき、これにより作業性が向上すると共に部品点数も減らせて製作コストを低廉になし得る遊技機の入賞装置を提供することを目的とするものである。
【課題を解決するための手段】
【０００７】
かかる目的を達成するため本発明に係る遊技機の入賞装置は、遊技盤面に取着され遊技球が入賞する球入口が開設された取付基板と、前記球入口を囲うようにして前記取付基板の後側に取着されるケース体と、前記ケース体の前側に配置されると共に電動アクチュエータにより下辺部を支点として前後方向へ起倒自在に回動し前記球入口を開閉する開閉扉と、を備え、前記開閉扉の下辺部両端から該下辺部に沿って回動軸が突設され、前記ケース体の前側には前記回動軸が挿通される軸受部が設けられた遊技機の入賞装置であって、前記回動軸に周面の一部を軸方向に沿って平面状に切断したＤカット面を形成し、前記各軸受部に該軸受部の中心軸に対し直交する方向から添わせるようにかつ前記Ｄカット面を挿入方向とほぼ平行となるようにして前記回動軸の挿入が許容される差込口を開設し、前記開閉扉が起立し前記球入口を塞いだ位置から前側へ傾倒して該球入口を開放した位置までの回動範囲内では、前記軸受部に挿通された前記回動軸が前記差込口から不要に抜け出ることのないように前記差込口に対するＤカット面の向きが設定されていることを特徴とする。
【０００８】
この際、ケース体内に球入口から入賞した遊技球を下方へ排出するための球落口を形成し、前記球落口に前側すなわち球入口側へ下傾するようにして球検出器を配置し、入賞した遊技球を直接に球検出器の球通口に導き落下させることが好ましい。
【発明の効果】
【０００９】
本発明に係る遊技機の入賞装置は、回動軸に周面の一部を軸方向に沿って平面状に切断したＤカット面を形成し、各軸受部に該軸受部の中心軸に対し直交する方向から添わせるようにかつ前記Ｄカット面を挿入方向とほぼ平行となるようにして回動軸の挿入が許容される差込口を開設し、開閉扉が起立し球入口を塞いだ位置から前側へ傾倒して球入口を開放した位置までの回動範囲内では、軸受部に挿通された回動軸が差込口から不要に抜け出ることのないように差込口に対するＤカット面の向きが設定されている。このように、ケース体前側に設けられた軸受部に開閉扉の回動軸を直接挿通して取り付けできるので、従来のような軸支板が不要になり、入賞装置の組立てにおいて面倒な作業が省略でき、組立てにおける作業性が良くなるばかりか、部品点数も減り製作コストも低廉に成し得るという効果を奏する。
【図面の簡単な説明】
【００１０】
【図１】本発明に係る入賞装置の斜視図。
【図２】同分解斜視図。
【図３】同正面図
【図４】図３のＡ−Ａ線拡大断面図。
【図５】図３のＢ−Ｂ線拡大断面図。
【図６】ソレノイドの動作を示す入賞装置の拡大側面断面図。
【図７】軸受部に開閉扉の回動軸を挿通する状態を示す説明図。
【図８】開閉扉が起立して開口を塞いでいる状態のケース体の拡大側面断面図。
【図９】開閉扉が傾倒して開口を開放している状態のケース体の拡大側面断面図。
【図１０】本発明に係る入賞装置が適用されるパチンコ遊技機の正面図。
【発明を実施するための形態】
【００１１】
以下、本発明に係る遊技機の入賞装置の最良の実施の形態を、図面に基づき詳しく説明する。本発明に係る入賞装置は、パチンコ遊技機、アレパチ機、雀球遊技機などの遊技機に適用されるが、本発明にあってはそのうちパチンコ遊技機に適用される場合について説明する。まず、本発明に係る入賞装置が使用されるパチンコ遊技機について説明する。
【００１２】
図１０は、本発明に係る入賞装置が使用されるパチンコ遊技機の正面図である。これは、いわゆる権利物と称される第三種のパチンコ遊技機である。パチンコ遊技機Ｐは正面縦長長方形状の外枠１００に内枠１０１が開閉自在に装着され、該内枠１０１に前側を向く遊技盤１０２が配設されている。また、内枠１０１の前面上部に、遊技盤１０２の前面を覆う透明板保持枠１０３が開閉自在に装着されている。内枠１０１の前面下部であって透明板保持枠１０３の下方に前板１０４が装着され、該前板１０４の前面には遊技球であるパチンコ球を貯留すると共に該パチンコ球を一個ずつ打球発射部（図示せず。）に供給する上球皿１０５が装着されている。さらに、その下方であって内枠１０１の前面に下部前板１０６が装着され、該下部前板１０６の前面には前記上球皿１０５から溢れたパチンコ球を貯留する下球皿１０７が装着されている。該下球皿１０７の一側であって下部前板１０６の前面に、打球発射部から遊技盤１０２の前面に発射されるパチンコ球の打球力を調整するための打球力調整ハンドル１０８が取着されている。
【００１３】
前記遊技盤１０２の前面に、誘導レールである内側のガイドレール１０９と外側のガイドレール１１０とが略渦巻き状に敷設されており、これら内側・外側のガイドレール１０９，１１０に囲まれるようにして遊技部１１１が形成されている。該遊技部１１１には、その中央位置に文字、数字等の図柄を変動表示する可変表示器１１２を備えた可変表示装置１１３が配設され、その下方にパチンコ球の入賞により該可変表示器１１２に表示される図柄を変動させる始動入賞口１１４が配設され、その下方に一対の可動翼片１１５，１１５を有する可変入賞口１１６が配置されている。
【００１４】
また、遊技部１１１の正面視にて右側に回転体１１７が配置される。該回転体１１７は上端部が開放される環状枠１１７ａに囲まれかつ遊技盤１０２面と平行な面内で回転する回転部材１１７ｂとからなり、該回転部材１１７ｂの外周面に一個のパチンコ球が受け入れられる球受凹部１１８が凹設され、該球受凹部１１８に入ったパチンコ球を回転する回転部材１１７ｂにより下方へ運ぶと共に取り込んで電気的に検出するようになっている。そして、該回転体１１７の下方に本発明に係る入賞装置１１９が配置され、前記球受凹部１１８に入ったパチンコ球が電気的に検出されると、入賞装置１１９が開きパチンコ球が入賞できるようになっている。遊技部１１１の正面視にて左側には、通常入賞口１２０が配置されている。
【００１５】
そこで、例えばパチンコ球が始動入賞口１１４に入賞すると、可変表示器１１２の文字、数字等の図柄が変動を開始し、一定時間経過後に停止する。この停止したときの図柄が特定の図柄、例えば「３３３」、「７７７」、に揃うと、大当りとなり、下方の可変入賞口１１６における一対の可動翼片１１５，１１５が逆ハの字状に所定時間、例えば５秒間開く。この間に可変入賞口１１６にパチンコ球が入賞すると、大当たりの権利が確定し、遊技者は遊技部１１１の右側へ片寄らせてパチンコ球を打ち込む。これに伴い、回転体１１７の球受凹部１１８にパチンコ球が入ると、回転部材１１７ｂの回転と共に下方へ運ばれ取り込まれて電気的に検出される。該パチンコ球が検出されると、その下方の入賞装置１１９が開き一度に多くの入賞球を発生させる。入賞装置１１９は所定時間が経過後または所定個数のパチンコ球が入賞すると閉じ、前記回転体１１７の球受凹部１１８に入り運ばれるパチンコ球が電気的に検出されるごとに入賞装置１１９が前記動作を繰り返す。この動作は最大例えば１５回行なわれる。このようにして、遊技者は一度に多くの景品球を得ることができるようになっている。
【００１６】
次に、本発明に係る入賞装置１１９について説明する。図１は本発明に係る入賞装置の斜視図、図２は同分解斜視図、図３は同正面図、図４は図３のＡ−Ａ線拡大断面図、図５は図３のＢ−Ｂ線拡大断面図、図６はソレノイドの動作を示す入賞装置の拡大側面断面図である。入賞装置１１９は、遊技盤１０２の前面にビス止めにより取り付けられる取付基板１を有し、該取付基板１には横長長方形状の球入口２が開設されている。また、取付基板１の後面に前記球入口２に入賞したパチンコ球を処理するケース体３が配置される。該ケース体３は、透明な合成樹脂材により成形され、前面が開口４すると共に取付基板１の後面に球入口２を囲うようにしてビス止めされ、取付基板１と一体化される。これにより、球入口２と開口４とは合致して連通する。
【００１７】
ケース体３は上下に二分割されており、下ケース体部３ａのほぼ中央部に螺子孔５を設けたボス６が突設され、上ケース体部３ｂの中央部であって前記螺子孔５に対応した位置に螺子挿通孔７が開設されている。そして、下ケース体部３ａの上面に上ケース体部３ｂを重ね螺子挿通孔７を介して螺子孔５に螺子８を螺合することにより、上・下ケース体部３ａ，３ｂが一体に組み付けられる。開口４には、前後方向へ起倒自在に回動して球入口２を開閉する開閉扉９が配置される。該開閉扉９については後で詳しく説明する。
【００１８】
ケース体３内は、開口４側から見た場合に左右に区分けされている。そして、右側に前面の開口４と連なり後方へ下傾する傾斜底板１０が設けられ、その流下端に該傾斜底板１０の上面を後方へ転動してきたパチンコ球を下方へ排出するための球落口１１が形成されている。この球落口１１の上面に、該球落口１１と連通する球通口１２ａを前側に設けた球検出器１２が配置されている。図４に示すように該球検出器１２は、前側すなわち傾斜底板１０に向かって下傾するように水平面に対して約３０度傾斜している。下ケース体部３ａには球検出器１２の一側に沿って弾性を備える係止片１３が一体に設けられ、該係止片１３の先端に内側を向き球検出器１２の後端部に係合する爪部１３ａが突設されている。
【００１９】
このように、球検出器１２を前側へ下傾させて配置しているが、例えば仮に球検出器１２がほぼ水平に配置されていると、必然的に球通口１２ａの後側に立壁を設け、該立壁に当てて跳ね返るパチンコ球を球通口１２ａに落下させて排出することになる。このため、球入口２に入賞したパチンコ球が球通口１２ａを通過して球落口１１から排出されるに、跳ね返る分余分な時間が掛かり、パチンコ球の排出処理能力が低いことになる。そこで、球検出器１２を前側すなわち傾斜底板１０側へ下傾させて、球入口２に入賞したパチンコ球を直接に球検出器１２の球通口１２ａに落下させるようにしている。これにより、球入口２に入賞して排出されるパチンコ球の時間が短縮でき、入賞装置１１９に入賞したパチンコ球の排出処理能力が高められる。このような構成の入賞装置１１９は、一度に多くの入賞球が発生するパチンコ遊技機にとっては好適である。また、入賞装置１１９の小型化にも貢献できる。
【００２０】
一方、ケース体３内における開口４側から見た場合の左側には収納室１４が形成され、該収納室１４内に水平に保持されると共にプランジャ１５ａが前後すなわち球入口２側へ向かって進退動する電動アクチュエータとしてのソレノイド１５が配設されている。プランジャ１５ａには圧縮コイルバネ１６が外装され、ソレノイド１５が消磁しているときは圧縮コイルバネ１６の付勢によりプランジャ１５ａが前側へ進出し、逆にソレノイド１５が励磁すると圧縮コイルバネ１６の付勢に抗してプランジャ１５ａが後側へ縮退するようになっている。プランジャ１５ａの先端部には、前後に所定の間隔を離した一対の環状側板１７，１７が設けられている。
【００２１】
前記プランジャ１５ａの先端部とこれと対応する開閉扉９の一側との間には、これらを連結する連結部材１８が配設される。該連結部材１８は、後側が開放される平面略コ字型の基枠１９を有し、該基枠１９の前面に上下に分かれる二股状部２０が設けられている。コ字型の基枠１９における後端部間に横杆２１が差し渡され、また、後端部の両外側面にそれぞれ軸杆２２が突設されている。そこで、両軸杆２２，２２を下ケース体部３ａに設けられた軸受凹部２３，２３に二股状部２０が前側を向くようにして上から嵌め、更に、プランジャ１５ａ先端の両環状側板１７，１７間に、連結部材１８の後端部間に設けられた横杆２１を介入させる。そこで、ソレノイド１５が励磁してプランジャ１５ａが後方へ縮退したときは、図５に示すように連結部材１８が後側へ回動して二股状部２０が上方へ回動する。これに対し、ソレノイド１５が消磁してプランジャ１５ａが前側へ進出しているときは、図６に示すように連結部材１８が前側へ回動して二股状部２０が下方へ回動するようになっている。この二股状部２０には、開閉扉９の一側に設けられた後記する係合ピン２６が係合することになる。
【００２２】
開閉扉９は球入口２に合致する横長長方形状に形成され、下辺部両端から該下辺部に沿って回動軸２４，２４が突設されている。また、同様に下辺部両端である左右両側縁に後方へ突出する側板２５，２５が突設され、一方の側板２５すなわちソレノイド１５と同じ側に位置する側板２５の外側面に前記連結部材１８の二股状部２０に係合する係合ピン２６が突設されている。前記開口４における下縁部には、正面視にてその両側に、開閉扉９を軸着するための軸受部２７，２７が設けられている。
【００２３】
前記開閉扉９における両端部の回動軸２４，２４は共に円柱状をなし、それら回動軸２４，２４に周面の一部を軸方向に沿って平面状に切断したＤカット面２８が形成されている。この際、Ｄカット面２８は、例えば該Ｄカット面２８から最も離れた反対側の外周面までの長さ寸法が、回動軸２４の半径よりも長く、かつ、直径よりも短い範囲で設定されている。
【００２４】
ケース体３前面の両軸受部２７，２７は該ケース体３の前面下辺と平行な軸孔２９，２９を有し、両軸受部２７，２７の前面にやや上を向いてその軸孔２９，２９と平行な差込口３０，３０が開設されている。図７に示すようにこれら差込口３０，３０における軸孔２９，２９の中心線に対して直交する面での間隔Ｌは、回動軸２４のＤカット面２８から最も離れた反対側の外周面までの寸法よりも少し長く設定されている。これにより、ケース体３の開口４の前面に開閉扉９を配置し、各軸受部２７，２７に該各軸受部２７，２７の中心軸に対し直交する方向から添わせるように、かつ、Ｄカット面２８を挿入方向とほぼ平行となるようにして各回動軸２４，２４の挿入が許容される。よって、各差込口３０の軸孔２９の中心線に対して直交する面における間隔Ｌが、各回動軸２４のＤカット面２８から最も離れた反対側の外周面までの寸法より短いと、各回動軸２４が各差込口３０に挿入できないことになる。
【００２５】
また、前記各差込口３０に対する各回動軸２４のＤカット面２８の向きは、開閉扉９が起立し球入口２を塞いだ位置から前側へ傾倒して該球入口２を開放した位置までの回動範囲内では、各軸受部２７から各回動軸２４が不要に抜け出ないように決められる。例えば、開閉扉９が起立した状態では、図８に示すように該開閉扉９の後面がケース体３の開口４の上縁前面に当接する。そして、差込口３０の開口面Ｆに対してＤカット面２８がやや上を向いている。更に、開閉扉９が前側へ傾倒した状態では、図９に示すように開閉扉９の一方の側板２５の後端部に設けられた停止部３１がケース体３における開口４の後面上縁に当接し、開閉扉９の回動動作が規制される。そして、差込口３０の開口面Ｆに対してＤカット面２８がやや下を向いている。このように、開閉扉９が起立位置から傾倒位置まで回動する範囲では、両回動軸２４，２４が軸受部２７，２７の差込口３０，３０から不要に抜け出ることはない。下ケース体部３ａの下面には、螺子３２により配線基板３３が取り付けられる。該配線基板３３の上面には複数個のＬＥＤ３４が設けられ、下からケース体３を照らし出すようにしている。これにより電飾効果が高められる。
【００２６】
本発明に係る遊技機の入賞装置１１９は上記構成からなり、その組み立て手順を説明する。まず、上ケース体部３ｂが外された状態で下ケース体部３ａ内の収納室１４にプランジャ１５ａ先端に連結部材１８を装着したソレノイド１５を配置する。連結部材１８の軸杆２２，２２を軸受凹部２３，２３に嵌める。また、球落口１１に対応させて球検出器１２を配置し、該球検出器１２の後端面に係止片１３の爪部１３ａを係合させる。更に、下ケース体部３ａの下面に螺子３２を螺締めして配線基板３３を取り付ける。
【００２７】
そして、開閉扉９を開口４の前面に配置すると共に、図７に示すように開閉扉９を起立した状態から前側へ９０度以上回動して傾倒した状態で各差込口３０を介して各軸受部２７の軸孔２９に各回動軸２４を挿入する。すなわち、この挿入される状態では差込口３０の間隔Ｌに対し回動軸２４はＤカット面２８がその挿入方向と平行をなし、各軸孔２９に各回動軸２４が容易に挿入できるようになっている。これにより、ケース体３の開口４の前面に開閉扉９を配置し、各軸受部２７の軸孔２９に該各軸孔２９の中心軸に対し直交する方向から添わせるように、かつ、Ｄカット面２８を挿入方向とほぼ平行となるようにして各回動軸２４の挿入ができるようになる。
【００２８】
各軸受部２７の軸孔２９に各回動軸２４が挿入された状態では、各軸受部２７の差込口３０の開口面Ｆに対し回動軸２４のＤカット面２８がほぼ直交する状態になっている。よって、この状態で、軸孔２９から回動軸２４を差込口３０を介して簡単に抜き取ることができる。次に、各軸受部２７の軸孔２９に各回動軸２４を挿入した状態から開閉扉９を回動軸２４，２４を中心として後方へ回動させて起立させた状態では、図８に示すように軸受部２７における差込口３０の開口面Ｆに対し回動軸２４のＤカット面２８が向き合い少し上を向いた状態となる。この状態では、差込口３０の間隔Ｌよりも回動軸２４の直径の方が長いので、各軸孔２９から差込口３０を介して各回動軸２４を抜き出すことができない。
【００２９】
また、開閉扉９を回動軸２４，２４を中心として前方へ回動し停止部３１がケース体３における開口４の後面上縁に当接して傾倒させた状態では、図９に示すように軸受部２７の差込口３０の開口面Ｆに対し回動軸２４のＤカット面２８が向き合い少し下を向いた状態となる。この状態でも、差込口３０の間隔Ｌよりも回動軸２４の直径の方が長いので、各軸孔２９から差込口３０を介して各回動軸２４を抜き出すことはできない。すなわち、開閉扉９が起立した位置から前側へ回動してパチンコ球を受け入れることができる傾倒した位置までの範囲では、各軸受部２７の軸孔２９から開閉扉９の回動軸２４が抜け出ないようにＤカット面２８と差込口３０との位置関係が決められている。
【００３０】
前記ソレノイド１５、連結部材１８、球検出器１２、開閉扉９の取付手順は、前記の順序に限定されるものではなく、組付けが可能である範囲で、その順番を変更しても良い。
【００３１】
このように、本発明にあってはケース体３における下ケース体部３ａの前側から各軸受部２７の軸孔２９に各回動軸２４を挿通するのみで開閉扉９が取り付けられる。開閉扉９を起立させた状態で、傾斜底面１０の後側の所定位置に球検出器１２を配置し、後端を係止片１３の爪部１３ａに係止しておく。この状態で、下ケース体部３ａの上面に上ケース体部３ｂを上から重ね合わせ螺子挿通孔７を介して螺子孔５に螺子８を螺締することにより、ケース体３が組み立てられる。また、ケース体３の前面にビス止めして取付基板１を固着する。これにより、球入口２と開口４とが合致して連通し、入賞装置１１９が組み立てられる。この組立方式を採用すれば、従来手作業で組み立てていたこの種入賞装置が機械により自動的に組み立てられることが予想される。
【００３２】
本発明にあっては、権利物のパチンコ遊技機であって遊技盤面における正面視にて右側の回転体の下方に配置した入賞装置について説明したが、本発明はそれに限定されるものではない。権利物であるまたは権利物でないに拘わらずパチンコ遊技機の遊技盤面に装着され前後に回動して球入口を開閉する開閉扉を有する入賞装置であれば、すべて本発明が適用できる。
【符号の説明】
【００３３】
１                  取付基板
２                  球入口
３                  ケース体
３ａ                下ケース体部
３ｂ                上ケース体部
９                  開閉扉
１５                電動アクチュエータ（ソレノイド）
２４                回動軸
２７                軸受部
２８                Ｄカット面
３０                差込口
１０２              遊技盤
１１９              入賞装置
【図１】
0005721531.tif 000002
【図２】
0005721531.tif 000003
【図３】
0005721531.tif 000004
【図４】
0005721531.tif 000005
【図５】
0005721531.tif 000006
【図６】
0005721531.tif 000007
【図７】
0005721531.tif 000008
【図８】
0005721531.tif 000009
【図９】
0005721531.tif 000010
【図１０】
0005721531.tif 000011